(57)【要約】【課題】  キャップ本体の断面外周形状が、容器本体の断面外周形状よりも大幅に小さくなっているマヨネース容器のような可撓性容器の場合でも、安定した倒立状態を保持させることのできる吐出ノズル付きキャップを提供する。【解決手段】  容器本体１１の口頸部１４に螺着され、天面から突出する吐出ノズル１７を備えるキャップ本体１５と、キャップ本体１５の吐出ノズル１７を覆って着脱可能に装着され、容器本体１１を倒立設置するための設置面１６ａを備えるカバーキャップ１６とからなる吐出ノズル付きキャップ１０であって、カバーキャップ１６は、キャップ本体１５に対するプッシュポンタイプのキャップとなっており、且つカバーキャップ１６及びキャップ本体１５には、カバーキャップ１６でキャップ本体１５をカバーした際に、これらの相対回転を阻止する位置決め係合手段１８ａ，１８ｂが設けられている。【選択図】      図１
2007062781.tif 000002
【特許請求の範囲】
【請求項１】
容器本体の口頸部に螺着され、天面から突出する吐出ノズルを備えるキャップ本体と、該キャップ本体の吐出ノズルを覆って着脱可能に装着され、容器本体を倒立設置するための設置面を備えるカバーキャップとからなる吐出ノズル付きキャップであって、
前記カバーキャップと前記キャップ本体は、前記カバーキャップの対向する位置における径を縮小させる押圧力を前記キャップ本体から離間する力に変換して前記カバーキャップと前記キャップ本体の係合を解除可能になっており、
且つ前記カバーキャップ及び前記キャップ本体には、前記カバーキャップで前記キャップ本体をカバーした際に、これらの相対回転を阻止する位置決め係合手段が設けられている吐出ノズル付きキャップ。
【請求項２】
請求項１に記載の吐出ノズル付きキャップが合成樹脂製の容器本体の口頸部に装着され、該口頸部の開口部は、吐出孔を有する合成樹脂フィルムを金属箔の下面にラミネートした密封フィルムを開口周縁部に加熱融着することによって封止されている吐出容器。
【発明の詳細な説明】
【技術分野】
【０００１】
本発明は、吐出ノズルを備えるキャップ本体と、キャップ本体に着脱可能に装着され、容器本体を倒立設置するための設置面を備えるカバーキャップとからなる吐出ノズル付きキャップ、及び該吐出ノズル付きキャップが口頸部に装着された吐出容器に関する。
【背景技術】
【０００２】
例えば比較的粘性のある液体である、マヨネーズ、ケチャップ、ピザソース、ソフトバター、クリーム、ソフトチョコレートを収容する容器として、合成樹脂からなる可撓性容器が知られている。このような可撓性容器は、容器本体を把持して押圧することにより、口頸部に螺着されたキャップの吐出ノズルから内容物を吐出させるものである。また、キャップに細い吐出ノズルを設けることで少量の吐出を可能にしたものがある（例えば、特許文献１参照）。一方、比較的粘性のある液体を内容物として収容した可撓性容器は、内容物を吐出させた後、残った内容物を口頸部に向けて移動させ、次の使用時に内容物がスムーズに吐出ノズルから吐出されるように、口頸部を下方に配置した倒立状態で保管しておくことが一般的に行われており、キャップ本体の吐出ノズルを支持しうる載置台の底面を相当な大きさの平坦な面とし、この底面を設置面として容器を倒立状態で支持しうるものが開示されている（例えば、特許文献２参照）。
【特許文献１】特開２００３−２９１９９４号公報
【特許文献２】特開２００１−１０６２６２号公報
【特許文献３】特開２００３−１６５５５１号公報
【発明の開示】
【発明が解決しようとする課題】
【０００３】
しかしながら、特許文献１の容器では、容器本体の口頸部から大量に内容物を吐出させるためにキャップ本体を容器本体からはずそうとする場合には、まず蓋を外してからキャップ本体を回転させて螺合を解除しなければならなくて不便である。一方で、特許文献２の如く、容器の注出口部が倒立具の載置用凹部に支持されている場合には、注出口部を封鎖した状態で容器を持ち運ぶことは困難である。
【０００４】
また、容器の口頸部には、これの開口部を封止する合成樹脂フィルムを金属箔の下面にラミネートした密封フィルムが、加熱融着される場合がある（例えば、特許文献３参照）。このような密封フィルムを加熱融着する際には、容器の開口周縁部とキャップ本体の天面内側面との間に密封フィルムを挟み込みつつ、容器の口頸部にキャップ本体を螺合して締め付け、密封フィルムを開口周縁部に密着させて押え付け、高周波誘導加熱により金属箔を加熱し、合成樹脂フィルムを融着させる方法（レクトラシール）が用いられている。このようなレクトラシールを採用する場合、容器の製造工程においてキャップを容器の口頸部にスムーズに締め付けて、密封フィルムを口頸部の開口周縁部に容易に押え付けることができるようにすることが望ましい。
【０００５】
本発明は、細口の吐出ノズルを備えるキャップ本体を、吐出ノズルを覆うカバーキャップを着脱しなくても容器本体から脱着可能とし、太口の吐出口からの内容物の吐出を容易とし、容器の製造工程においてレクトラシールをスムーズに行うことを可能にし、且つカバーキャップの着脱が容易な吐出ノズル付きキャップ、及び該吐出ノズル付きキャップが装着された吐出容器を提供することを目的とする。
【課題を解決するための手段】
【０００６】
本発明は、容器本体の口頸部に螺着され、天面から突出する吐出ノズルを備えるキャップ本体と、該キャップ本体の吐出ノズルを覆って着脱可能に装着され、容器本体を倒立設置するための設置面を備えるカバーキャップとからなる吐出ノズル付きキャップであって、前記カバーキャップと前記キャップ本体は、前記カバーキャップの対向する位置における径を縮小させる押圧力を前記キャップ本体から離間する力に変換して前記カバーキャップと前記キャップ本体の係合を解除可能になっており、且つ前記カバーキャップ及び前記キャップ本体には、前記カバーキャップで前記キャップ本体をカバーした際に、これらの相対回転を阻止する位置決め係合手段が設けられている吐出ノズル付きキャップを提供することにより、上記目的を達成したものである。
【０００７】
また、本発明は、上記吐出ノズル付きキャップが合成樹脂製の容器本体の口頸部に装着され、該口頸部の開口部は、吐出孔を有する合成樹脂フィルムを金属箔の下面にラミネートした密封フィルムを開口周縁部に加熱融着することによって封止されている吐出容器を提供することにより、上記目的を達成したものである。
【発明の効果】
【０００８】
本発明の吐出ノズル付きキャップ、又は該吐出ノズル付きキャップが装着された吐出容器によれば、細口の吐出ノズルを備えるキャップ本体を、吐出ノズルを覆うカバーキャップを着脱しなくても容器本体から脱着可能とし、太口の吐出口からの内容物の吐出を容易とし、容器の製造工程においてレクトラシールをスムーズに行うことを可能にし、且つカバーキャップの着脱が容易である。
【発明を実施するための最良の形態】
【０００９】
本発明の好ましい一実施形態に係る吐出ノズル付きキャップ１０は、図１に示すように、内容物として、例えば粘度が2000mPa・s〜420000 mPa・sの比較的高粘度の液体の一つであるマヨネーズを収容した、軟質合成樹脂製の容器本体１１の口頸部１４に螺合装着され、容器本体１１と共に吐出容器１２を構成するものである。また、本実施形態の吐出ノズル付きキャップ１０が取り付けられた吐出容器１２は、キャップ１０又はカバーキャップ１６を取り外した後に、好ましくは口頸部１４の先端の吐出口１３ａ，１３ｂを下方に傾けた状態で容器本体１１を押圧することにより、内容物を吐出させる。内容物を所望量吐出させたら、口頸部１４を下方に配置した倒立状態で保管しておくことにより（図３参照）、残った内容物を口頸部１４に向けて下方に移動させ、次の使用時に内容物がスムーズに吐出口１３ａ，１３ｂから吐出されるようにする。
【００１０】
本実施形態の吐出ノズル付きキャップ１０は、当該キャップ１０やカバーキャップ１６の着脱を容易にしつつ吐出容器１２を安定した倒立状態で保管しておくことができるようにすると共に、後述するレクトラシールによって密封フィルム１９を口頸部１４の開口周縁部に加熱融着する作業を、吐出容器１２の製造工程においてスムーズに行うことを可能にするために用いられるものである。
【００１１】
そして、本実施形態の吐出ノズル付きキャップ１０は、容器本体１１の口頸部１４に螺着され、天面から突出する吐出ノズル１７を備えるキャップ本体１５と、キャップ本体１５の吐出ノズル１７を覆って着脱可能に装着され、容器本体１１を倒立設置するための設置面１６ａを備えるカバーキャップ１６とからなるキャップであって、カバーキャップ１６は、当該カバーキャップ１６の対向する位置における径を縮小させる押圧力をキャップ本体１５から離間する力に変換してカバーキャップ１６とキャップ本体１５の係合を解除可能な、いわゆるプッシュポンタイプのキャップとなっており、且つカバーキャップ１６及びキャップ本体１５には、カバーキャップ１６でキャップ本体１５をカバーした際に、これらの相対回転を阻止する位置決め係合手段１８ａ，１８ｂが設けられている。
【００１２】
また、本実施形態の吐出容器１２は、上記吐出ノズル付きキャップ１０が容器本体１１の口頸部１４に装着され、口頸部１４の先端の開口部１４ａは、太口の吐出口１３ａとしての吐出孔を有する合成樹脂フィルム１９ａを金属箔１９ｂの下面にラミネートした密封フィルム１９を、開口周縁部に加熱融着することによって封止されている。
【００１３】
容器本体１１は、軟質合成樹脂として例えばＬＤＰＥ（低密度ポリエチレン）をブロー成形してなるものであり、可撓変形可能な可撓性容器となっている。そして、内部に内容物が充填収容された容器本体１１を把持して押圧することにより、可撓性容器としての容器本体１１を変形させて、口頸部１４の先端の太口の吐出口１３ａや、吐出ノズル１７の先端の細口の吐出口１３ｂから選択的に内容物を吐出させることができるようになっている。容器本体１１の先端部分には、外周面に雄ネジ２０を有する口頸部１４が一体成形され、口頸部１４の先端の開口部１４ａには、後述するレクトラシールによって、当該開口部１４ａを覆って封止する密封フィルム１９が取り付けられている。密封フィルム１９の金属箔１９ｂを剥離することにより、残された合成樹脂フィルム１９ａの吐出孔１３ａによって、例えば星形形状のデコレーション用の太口の吐出口が開口形成されることになる。
【００１４】
容器本体１１の口頸部１４に着脱可能に装着される吐出ノズル付きキャップ１０は、キャップ本体１５とカバーキャップ１６とからなり、これらは、合成樹脂成形品として別体であり、各々成形される。キャップ本体１５は、略有天円筒状部分１５ａの天面の中央から切頭円錐形状の吐出ノズル１７を突出させた形状を有しており、吐出ノズル１７の先端が、細口の吐出口１３ｂとなっている。また、有天円筒状部分１５ａの内周面には、雌ネジが形成されており、これを口頸部１４の外周面の雄ネジ２０に螺着することにより、キャップ本体１５、或いはこれとカバーキャップ１６とが一体となった吐出ノズル付きキャップ１０を、容器本体１１の口頸部１４に容易に着脱することができるようになっている。さらに、例えばキャップ本体１５の吐出ノズル１７の周面には、直径方向に対向する位置から外側に張り出して、係合片等による係合部１８ａが位置決め係合手段として設けられており、この係合部１８ａを、例えば後述する係合筒１６ｃのスリット溝を被係合部１８ｂとしてこのスリット溝に挿入係止することにより、キャップ本体１５とカバーキャップ１６とを一体として回転させる際に、これらの相対回転を阻止できるようになっている。
【００１５】
カバーキャップ１６は、キャップ本体１５の嵌め込み穴２１を有する扁平な略切頭円錐形状を備えており、その広くなった底面（天面）が相当の設置面積を有する設置面１６ａとして機能することになる。また、カバーキャップ１６は、キャップ本体１５に対してプッシュポンタイプのキャップとなっている。これによって、図２に示すように、例えばカバーキャップ１６の周面外側から挟むように径方向内方に押圧力Ｐが付与されて、カバーキャップ１６の開口端縁１６ｂの押圧力Ｐの方向に沿った径が縮小すると、カバーキャップ１６の開口端縁１６ｂがキャップ本体１５のテーパー状肩部１５ｂに接触して乗り上がることによってカバーキャップ１６をキャップ本体１５と離間する方向に移動させる。このような構成により、カバーキャップ１６の開口端縁１６ｂの径を縮小させる押圧力Ｐをカバーキャップ１６がキャップ本体１５から離れる方向への力Ｆに変換することが可能になり、その力Ｆによってカバーキャップ１６の内部に設けた係合筒１６ｃの先端係止部１６ｄの、吐出ノズル１７の基端周面に設けた基端係止部１７ａへの係合状態を容易に解除できるようになっている。一方、カバーキャップ１６を容器本体１１側或いはキャップ本体１５側に押し付けることにより、カバーキャップ１６の先端係止部１６ｄを吐出ノズル１７の基端係止部１７ａに係合させて、カバーキャップ１６をキャップ本体１５に装着係止できるようになっている。また、カバーキャップ１６をキャップ本体１５に装着する際に、例えばプッシュポンタイプのキャップに一般的に設けられている係合筒１６ｃのスリット溝を被係合部１８ｂとして、このスリット溝にキャップ本体１５の吐出ノズル１７の周面から張り出して設けた係合部１８ａを挿入係止することにより、これらの係合部１８ａ及び被係合部１８ｂを位置決め係合手段として、カバーキャップ１６とキャップ本体１５との相対回転を阻止しつつ、これらを一体として回転操作できるようになっている。尚、被係合部１８ｂはカバーキャップ１６の底面の内壁から立ち上がるものであっても良い。
【００１６】
口頸部１４の開口部１４ａを覆って取り付けられる密封フィルム１９は、図３（ａ），（ｂ）に示すように、例えばアルミニウム箔からなる金属箔１９ｂの下面に、例えば星形形状のデコレーション用の吐出孔１３ａを有する合成樹脂フィルム１９ａをラミネートしてなるものであり、口頸部１４の開口部１４ａの形状に合わせた円形形状を有していると共に、金属箔１９ａの周縁部には、引き剥がし用のタブ１９ｃが設けられている。密封フィルム１９は、吐出容器１２の製造工程において、容器本体１１の口頸部１４の開口周縁部とキャップ本体１５の天面内側面との間に当該密封フィルム１９の周縁部分を挟み込みつつ、口頸部１４にキャップ本体１５を螺合して締め付けて、密封フィルム１９の合成樹脂フィルム１９ａを口頸部１４の開口周縁部に密着させて押え付けた状態とし、しかる後にキャップ１０の外側から例えば高周波誘導加熱を施して金属箔１９ｂを高温に加熱し、合成樹脂フィルム１９ａを溶融させて融着させるレクトラシールによって取り付けられる。
【００１７】
そして、本実施形態では、吐出容器１２から内容物を吐出する際には、容器本体１１から吐出ノズル付きキャップ１０を取り外し、口頸部１４の開口部１４ａを覆う密封フィルム１９から金属箔１９ｂのみを剥離して、合成樹脂フィルム１９ａの吐出孔１３ａを開口させる。これによって、太口の吐出口１３ａから内容物を吐出することが可能になる。また、容器本体１１の口頸部１４にキャップ本体１５のみを装着することにより、又は口頸部１４ｂに装着した吐出ノズル付きキャップ１０からカバーキャップ１６のみを取り外すことにより、吐出ノズル１７の先端の細口の吐出口１３ｂから内容物を吐出することが可能になる。
【００１８】
さらに、内容物を所望量吐出したら、キャップ本体１５と共にカバーキャップ１６を容器本体１１の口頸部１４ｂに装着すれば、カバーキャップ１６の設置面１６ａによって、図４に示すように、倒立状態における大きな設置面積が確保されるので、安定した状態で倒立させて吐出容器１２を保管することが可能になる。さらにまた、カバーキャップ１６及びキャップ本体１５は、係合片１８ａ及び係合溝１８ｂによる位置決め係合手段によって、容器本体１１の口頸部１４への螺合時に相対回転が阻止されるので、吐出容器１２の製造工程において、密封フィルム１９の周縁部分を口頸部１４の開口周縁部に密着させてレクトラシールを施すべく、吐出ノズル付きキャップ１０を把持装置で把持して口頸部１４に締め付ける際に、カバーキャップ１６をキャップ本体１５と共に一体として回転させて、効率良く締め付け作業を行うことが可能になる。
【００１９】
すなわち、本実施形態によれば、吐出ノズル１７を有するキャップ本体１５の断面外周形状が、容器本体１１の断面外周形状よりも大幅に小さくなっているマヨネーズ容器のような可撓性容器の場合でも、安定した倒立状態を保持しておくことができると共に、容器の製造工程においてレクトラシールをスムーズに行うことを可能にし、且つキャップ１０，１５，１６の着脱を容易に行うことができる。また、細口の吐出ノズル１７を備えるキャップ本体１５を、吐出ノズル１７を覆うカバーキャップ１６を着脱しなくても容器本体１１から脱着可能とし、太口の吐出口１３ａからの内容物の吐出を容易に行うことができる。
【００２０】
なお、本発明は上記実施形態に限定されることなく種々の変更が可能である。例えば、容器本体に収容される内容物は、マヨネーズの他、ケチャップ、ピザソース、ソフトバター、クリーム、ソフトチョコレート等のその他の種々の内容物であっても良く、歯磨き粉等の高粘度のものであっても良い。また、カバーキャップとキャップ本体の相対回転を阻止する位置決め係合手段は、係合片や係合溝以外のものであっても良い。さらに、カバーキャップは、大きな設置面を有するものであれば、扁平な切頭円錐形状を備えている必要は必ずしもない。
【図面の簡単な説明】
【００２１】
【図１】本発明の好ましい一実施形態に係る吐出ノズル付きキャップ及び吐出容器の構成を説明する分解図である。
【図２】プッシュポンタイプの吐出ノズル付きキャップの構造を例示する断面図である。
【図３】（ａ）は密封フィルムの平面図、（ｂ）は密封フィルムの側面図である。
【図４】本発明の好ましい一実施形態に係る吐出ノズル付きキャップが装着された吐出容器の正面図である。
【符号の説明】
【００２２】
１０  吐出ノズル付きキャップ
１１  容器本体
１２  吐出容器
１３ａ  太口の吐出口（合成樹脂フィルムの吐出孔）
１３ｂ  細口の吐出口
１４  口頸部
１４  口頸部の開口部
１５  キャップ本体
１５ａ  キャップ本体の略有天円筒状部分
１６  カバーキャップ
１６ａ  カバーキャップの設置面
１７  吐出ノズル
１８ａ  係合部（位置決め係合手段）
１８ｂ  被係合部（位置決め係合手段）
１９  密封フィルム
１９ａ  金属箔
１９ｂ  合成樹脂フィルム
１９ｃ  タブ
２０  雄ネジ
２１  嵌め込み穴
【図１】
2007062781.tif 000003
【図２】
2007062781.tif 000004
【図３】
2007062781.tif 000005
【図４】
2007062781.tif 000006